【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
缶左右方向に配置した火炉と、
前記火炉の蒸発管側でボイラ本体下面を固定支持する固定支持脚と、
前記蒸発管側の前記ボイラ本体下面で前記固定支持脚と異なる箇所を缶前後方向の熱伸びを許容して支持する蒸発管側スライド支持脚と、
前記火炉側で缶左右方向を含む熱伸びを許容して前記ボイラ本体下面を支持する火炉側スライド支持脚と、
前記固定支持脚及び前記蒸発管側スライド支持脚近傍に配設されている過熱器ヘッダと、
を備えた自立式ボイラとされ、
前記過熱器ヘッダは、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持されていることを特徴とする舶用ボイラ構造。
【請求項２】
前記過熱器中間サポート部材による前記過熱器ヘッダの支持部は、前記火炉の傾斜と平行な前記缶左右方向の移動が許容されていることを特徴とする請求項１に記載の舶用ボイラ構造。
【請求項３】
請求項１または２に記載の舶用ボイラ構造とした舶用ボイラを有することを特徴とする船舶。
【請求項４】
蒸発管側のボイラ本体下部に配設された缶前後方向の過熱器ヘッダを備え、前記ボイラ本体下面に支持脚を備えている自立式ボイラとした舶用ボイラの過熱器ヘッダ支持方法であって、
缶左右方向に配置した火炉と、
前記火炉の前記蒸発管側で前記ボイラ本体下面を固定支持する固定支持脚と、
前記蒸発管側の前記ボイラ本体下面で前記固定支持脚と異なる箇所を缶前後方向の熱伸びを許容して支持する蒸発管側スライド支持脚と、
前記火炉側で缶左右方向を含む熱伸びを許容して前記ボイラ本体下面を支持する火炉側スライド支持脚と、を備え、
前記過熱器ヘッダを前記固定支持脚及び前記蒸発管側スライド支持脚近傍に配設するとともに、
前記過熱器ヘッダを、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持させることを特徴とする舶用ボイラの過熱器ヘッダ支持方法。
【手続補正２】
【補正対象書類名】明細書
【補正対象項目名】０００９
【補正方法】変更
【補正の内容】
【０００９】
本発明は、上記の課題を解決するため、下記の手段を採用した。
本発明に係る舶用ボイラ構造は、缶左右方向に配置した火炉と、前記火炉の蒸発管側でボイラ本体下面を固定支持する固定支持脚と、前記蒸発管側の前記ボイラ本体下面で前記固定支持脚と異なる箇所を缶前後方向の熱伸びを許容して支持する蒸発管側スライド支持脚と、前記火炉側で缶左右方向を含む熱伸びを許容して前記ボイラ本体下面を支持する火炉側スライド支持脚と、前記固定支持脚及び前記蒸発管側スライド支持脚近傍に配設されている過熱器ヘッダと、を備えた自立式ボイラとされ、前記過熱器ヘッダは、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持されていることを特徴とするものである。
【手続補正３】
【補正対象書類名】明細書
【補正対象項目名】００１０
【補正方法】変更
【補正の内容】
【００１０】
このような舶用ボイラ構造によれば、缶左右方向に配置した火炉と、火炉の蒸発管側でボイラ本体下面を固定支持する固定支持脚と、蒸発管側のボイラ本体下面で固定支持脚と異なる箇所を缶前後方向の熱伸びを許容して支持する蒸発管側スライド支持脚と、火炉側で缶左右方向を含む熱伸びを許容してボイラ本体下面を支持する火炉側スライド支持脚と、固定支持脚及び蒸発管側スライド支持脚近傍に配設されている過熱器ヘッダと、を備えた自立式ボイラとされ、過熱器ヘッダは、缶前後方向両端部をボイラ本体下面側から吊下支持する過熱器サポート部材と、ボイラ本体下面の中間部を支持する固定支持脚または蒸発管側スライド支持脚に固定支持された過熱器中間サポート部材と、により支持されているので、固定支持脚、蒸発管側スライド支持脚及び火炉側スライド支持脚を備えた自立式ボイラの特長を維持し、かつ、過熱器中間サポート部材で長尺化した過熱器ヘッダの中央付近を支持して撓みを抑えることができる。
なお、ボイラ本体下面の缶前後方向中間部を支持する支持脚の数は、火炉寸法に応じて１または２以上の複数とすることができる。
【手続補正４】
【補正対象書類名】明細書
【補正対象項目名】００１４
【補正方法】変更
【補正の内容】
【００１４】
本発明に係る舶用ボイラの過熱器ヘッダ支持方法は、蒸発管側のボイラ本体下部に配設された缶前後方向の過熱器ヘッダを備え、前記ボイラ本体下面に支持脚を備えている自立式ボイラとした舶用ボイラの過熱器ヘッダ支持方法であって、缶左右方向に配置した火炉と、前記火炉の前記蒸発管側で前記ボイラ本体下面を固定支持する固定支持脚と、前記蒸発管側の前記ボイラ本体下面で前記固定支持脚と異なる箇所を缶前後方向の熱伸びを許容して支持する蒸発管側スライド支持脚と、前記火炉側で缶左右方向を含む熱伸びを許容して前記ボイラ本体下面を支持する火炉側スライド支持脚と、を備え、前記過熱器ヘッダを前記固定支持脚及び前記蒸発管側スライド支持脚近傍に配設するとともに、前記過熱器ヘッダを、缶前後方向両端部を前記ボイラ本体下面側から吊下支持する過熱器サポート部材と、前記ボイラ本体下面の中間部を支持する前記固定支持脚または前記蒸発管側スライド支持脚に固定支持された過熱器中間サポート部材と、により支持させることを特徴とするものである。
【手続補正５】
【補正対象書類名】明細書
【補正対象項目名】００１５
【補正方法】変更
【補正の内容】
【００１５】
このような舶用ボイラの過熱器ヘッダ支持方法によれば、蒸発管側のボイラ本体下部に配設された缶前後方向の過熱器ヘッダを備え、ボイラ本体下面に支持脚を備えている自立式ボイラとした舶用ボイラの過熱器ヘッダ支持方法であって、缶左右方向に配置した火炉と、火炉の蒸発管側でボイラ本体下面を固定支持する固定支持脚と、蒸発管側のボイラ本体下面で固定支持脚と異なる箇所を缶前後方向の熱伸びを許容して支持する蒸発管側スライド支持脚と、火炉側で缶左右方向を含む熱伸びを許容してボイラ本体下面を支持する火炉側スライド支持脚と、を備え、過熱器ヘッダを固定支持脚及び蒸発管側スライド支持脚近傍に配設するとともに、過熱器ヘッダを、缶前後方向両端部をボイラ本体下面側から吊下支持する過熱器サポート部材と、ボイラ本体下面の中間部を支持する固定支持脚または蒸発管側スライド支持脚に固定支持された過熱器中間サポート部材と、により支持させるようにしたので、固定支持脚、蒸発管側スライド支持脚及び火炉側スライド支持脚を備えた舶用ボイラの特長を維持し、かつ、過熱器中間サポート部材で長尺化した過熱器ヘッダの中央付近を支持して撓みを抑えることができる。
【手続補正６】
【補正対象書類名】明細書
【補正対象項目名】００３８
【補正方法】変更
【補正の内容】
【００３８】
上述したように、本実施形態の舶用ボイラ１Ａは、蒸発管側でボイラ本体下面２ａの両端部及び中間部のいずれか１箇所を固定支持する固定支持脚２０Ａと、蒸発管側のボイラ本体下面２ａで固定支持脚２０Ａと異なる箇所を缶前後方向の熱伸びを許容して支持する蒸発管側スライド支持脚２０と、火炉側で缶左右方向を含む熱伸びを許容してボイラ本体下面２ａの両端部及び中間部を支持する火炉側スライド支持脚３０，３０Ａと、を備えた自立式ボイラであり、過熱器ヘッダ１１は、缶前後方向両端部をボイラ本体下面２ａ側から吊下支持する過熱器サポート部材４０と、ボイラ本体下面２ａの中間部を支持する固定支持脚２０Ａに固定支持された過熱器中間サポート部材５０と、により支持されている。
【手続補正７】
【補正対象書類名】明細書
【補正対象項目名】００４１
【補正方法】変更
【補正の内容】
【００４１】
また、固定支持脚２０Ａ及び蒸発管側スライド支持脚２０の近傍に過熱器ヘッダ１１を配設するとともに、この過熱器ヘッダ１１を、缶前後方向両端部をボイラ本体下面２ａ側から吊下支持する過熱器サポート部材４０と、ボイラ本体下面２ａの中間部を支持する固定支持脚２０Ａに固定支持された過熱器中間サポート部材５０とにより支持させる過熱器ヘッダ支持方法を採用すれば、固定支持脚２０Ａ、蒸発管側スライド支持脚２０及び火炉側スライド支持脚３０，３０Ａを備えた自立式パッケージボイラの特長を維持し、さらに、過熱器中間サポート部材５０で長尺化した過熱器ヘッダ１１の中央付近を支持して撓みを抑えることができる。
【手続補正８】
【補正対象書類名】明細書
【補正対象項目名】００４３
【補正方法】変更
【補正の内容】
【００４３】
１，１Ａ    舶用ボイラ
２    火炉
２ａ    ボイラ本体下面
９    水ドラム
１１    過熱器ヘッダ
１２    サイドボトムヘッダ
１３    底部ヘッダ
２０    蒸発管側スライド支持脚
２０Ａ    固定支持脚
３０，３０Ａ    火炉側スライド支持脚
４０    過熱器サポート部材
５０    過熱器中間サポート部材
５１    アーム固定部材
５１ａ    支持面
５２    アーム部材
５２ａ    ベース板
５２ｂ    柱状部材
５２ｃ    ヘッダ支持面
５２ｄ    長穴
５３    ボルト